(57)【要約】表示手段の映像の視聴中に、表示手段の向きを変更せずに前記映像の視聴を続けながら、所望の画像を見ることを可能にすべく、表示手段の表示内容を自動的に切り替える表示装置等を提供することにある。すなわち、表示装置５０は、映像を表示する表示手段５１と、表示手段５１に対する態様の変化が可能な操作手段５２と、表示手段５１の次のような表示制御を行う表示制御手段５３とを備える。つまり、所定の第２画像が表示手段５１に映像と共に表示されているとする。この状態であるときに、表示手段５１に対する操作手段５２の態様が、所定の第２態様から所定の第１態様に変化したことを表示制御手段５３が検知したとする。この場合には、表示制御手段５３は、前記第２画像に替えて所定の第１画像を前記映像と共に表示手段５１に表示する。
2010044336.tif 000002
【特許請求の範囲】
【請求項１】
映像と、所定の第１画像と、所定の第２画像とのうちの少なくとも一つを表示する表示手段と、
前記表示手段に対する態様が、所定の第１態様と所定の第２態様との間で変化する操作手段と、
前記第２画像および前記映像が前記表示手段に表示されているときに、前記表示手段に対する前記操作手段の態様が、前記第２態様から前記第１態様に変化したことを検知した場合には、前記第２画像に替えて前記第１画像を前記映像と共に前記表示手段に表示させる表示制御手段と、
を備えている表示装置。
【請求項２】
テレビ放送信号を受信するチューナー手段を、さらに、備え、
前記映像は、前記チューナー手段により受信されたテレビ放送信号に基づいた映像を含む請求項１記載の表示装置。
【請求項３】
前記操作手段を含む第１筐体と、
前記表示手段を含む第２筐体と、
前記第１筐体と前記第２筐体を連結する連結手段と、
前記連結手段の動作に基づいて、前記表示手段に対する前記操作手段の前記第２態様から前記第１態様への変化を検知する検出手段と、
を、さらに、備えている請求項１又は請求項２記載の表示装置。
【請求項４】
前記第１態様にあるときの前記操作手段の所定の仮想基準線と、前記第２態様にあるときの前記操作手段の前記仮想基準線との成す角度が９０度である請求項１又は請求項２又は請求項３記載の表示装置。
【請求項５】
前記第１画像は、所定の機能に関わる所定の機能実行画面であり、
前記第２画像は、前記機能に関わる所定の通知画像である請求項１乃至請求項４の何れか一つに記載の表示装置。
【請求項６】
前記表示制御手段は、前記機能実行画面を前記映像と共に前記表示手段に表示させる場合には、前記表示手段の表示領域を所定の複数の区分領域に分割し、前記区分領域の一つに前記映像を表示させ、別の前記区分領域の一つに前記機能実行画面を表示させる請求項５記載の表示装置。
【請求項７】
前記通知画像は、電子メール通信機能による受信メールの所定の一部の情報を通知する画像である請求項５又は請求項６記載の表示装置。
【請求項８】
前記通知画像は、スケジュール管理機能によるスケジュールデータの所定の一部の情報を通知する画像である請求項５又は請求項６又は請求項７記載の表示装置。
【請求項９】
前記通知画像は、アイコン画像又はテロップ画像である請求項５乃至請求項８の何れか一つに記載の表示装置。
【請求項１０】
請求項１乃至請求項９の何れか一つに記載の表示装置を含む携帯端末。
【請求項１１】
表示手段に、所定の第２画像を映像と共に表示し、
この表示状態であるときに、前記表示手段に対する態様を変化できる操作手段が、前記表示手段に対する所定の第２態様から所定の第１態様に変化したことを検知した場合には、前記第２画像に替えて所定の第１画像を前記表示手段に前記映像と共に表示する表示制御方法。
【請求項１２】
前記表示手段に表示される前記映像は、テレビ放送の映像を含む請求項１１記載の表示制御方法。
【請求項１３】
前記操作手段は第１筐体に設けられ、前記表示手段は第２筐体に設けられ、前記第１筐体と前記第２筐体は連結手段により連結されている場合に、前記表示手段に対する前記操作手段の前記第２態様から前記第１態様への変化を、前記連結手段の動作に基づいて検知する請求項１１又は請求項１２記載の表示制御方法。
【請求項１４】
前記第１態様にあるときの前記操作手段の所定の仮想基準線と、前記第２態様にあるときの前記操作手段の前記仮想基準線との成す角度が９０度である請求項１１又は請求項１２又は請求項１３記載の表示制御方法。
【請求項１５】
前記第１画像は、所定の機能に関わる所定の機能実行画面であり、
前記第２画像は、前記機能に関わる所定の通知画像である請求項１１乃至請求項１４の何れか一つに記載の表示制御方法。
【請求項１６】
前記表示手段に、前記機能実行画面を前記映像と共に表示する場合には、前記表示手段の表示領域を所定の複数の区分領域に分割し、
前記区分領域の一つに前記映像を表示し、別の前記区分領域の一つに前記機能実行画面を表示する請求項１５記載の表示制御方法。
【請求項１７】
前記通知画像は、電子メール通信機能による受信メールの所定の一部の情報を通知する画像である請求項１５又は請求項１６記載の表示制御方法。
【請求項１８】
前記通知画像は、スケジュール管理機能によるスケジュールデータの所定の一部の情報を通知する画像である請求項１５又は請求項１６又は請求項１７記載の表示制御方法。
【請求項１９】
前記通知画像を、アイコン画像又はテロップ画像によって表示する請求項１５乃至請求項１８の何れか一つに記載の表示制御方法。
【請求項２０】
映像と、所定の第１画像と、所定の第２画像とのうちの少なくとも一つを表示する表示手段と、前記表示手段に対する態様が、所定の第１態様と所定の第２態様との間で変化する操作手段とを備えた表示装置に、
前記第２画像が前記映像と共に前記表示手段に表示されている状態であるときに、前記表示手段に対する前記操作手段の態様が、前記第２態様から前記第１態様に変化したことを検知した場合には、前記第２画像に替えて前記第１画像を前記表示手段に前記映像と共に表示させる機能を持たせるためのプログラムが記録されているプログラム記録媒体。
【請求項２１】
前記操作手段を含む第１筐体と、前記表示手段を含む第２筐体と、前記第１筐体と第２筐体を連結する連結手段とを、さらに、備えている前記表示装置に、さらに、
前記表示手段に対する前記操作手段の前記第２態様から前記第１態様への変化を、前記連結手段の動作に基づいて検知する機能を持たせるためのプログラムが記録されている請求項２０記載のプログラム記録媒体。
【請求項２２】
前記表示装置に、さらに、
前記表示手段に前記第１画像として所定の機能実行画面を前記映像と共に表示する場合には、前記表示手段の表示領域を所定の複数の区分領域に分割する機能と、
前記区分領域の一つに前記映像を表示し、別の前記区分領域の一つに前記機能実行画面を表示する機能と、
を持たせるためのプログラムが記録されている請求項２０又は請求項２１記載のプログラム記録媒体。
【請求項２３】
前記表示装置に、さらに、
所定の機能の関わる所定の通知画像を前記第２画像として表示する場合には、前記通知画像を、アイコン画像又はテロップ画像によって表示する機能を持たせるためのプログラムが記録されている請求項２０又は請求項２１又は請求項２２記載のプログラム記録媒体。
【発明の詳細な説明】
【技術分野】
【０００１】
本発明は、動画等の映像を表示する表示装置および携帯端末および表示制御方法およびプログラム記録媒体に関するものである。
【背景技術】
【０００２】
携帯電話機に代表される携帯端末は多機能化が進んでいる。特に近年では、地上デジタルテレビ放送の放送開始に伴い、ワンセグ対応の携帯端末が多種多様に開発されている。ワンセグ対応携帯端末はテレビ放送信号の周波数帯域外の無線通信も可能とすることにより、通話機能、電子メール機能およびインターネット機能等を併せて有していることが多い。このような携帯端末においては、テレビ放送番組の視聴中に、電子メールを受信したり、着信が入ったりする状況が想定されるため、このような状況に対応できなくてはならない。
また、ワンセグ対応携帯端末はテレビ放送を表示する表示画面とともに、当該携帯端末が有するその他の機能を実行させるために必要な複数のキーからなる操作入力部を備えていることが多い。テレビ放送番組を視聴するときには、テレビのオンオフキー、選局キー、音量調整キー等、必要とされるキーが限られる。このため、一部のワンセグ対応携帯端末はテレビ放送番組に必要なキーを除くキーを筐体の裏側に収めるように変形して、誤入力を防止することができる。このような携帯端末において、テレビ放送番組の視聴中に、電子メールを受信したり、着信が入ったりする状況が発生することが想定される。そのような場合、テレビ放送の映像表示を維持しながら、操作入力部を操作可能な形状に携帯端末を変形することが求められる。
特許文献１（特開２００７−１４２７６２号公報）には、次のような技術が開示されている。特許文献１の技術では、テレビ放送の映像の表示中に電子メールを受信したとき、表示領域全体にテレビ放送の映像を表示するか、あるいは、表示領域をテレビ放送の映像とメーラー画面とに分割するか、を切り替える。その切り替えは、テレビ放送映像の方向に応じて行われる。また、特許文献１では、表示領域全体にテレビ放送の映像を表示するときに、アイコン画像を表示してメールを受信したことを通知することもできる。
また、特許文献２（再公表特許ＷＯ２００３／０７７０９７号）には、次のような技術が開示されている。特許文献２では、それぞれ表示装置を備える二つの筐体がスライドレールにて連結されている。一方の筐体の裏側に他方の筐体がスライド移動した場合には、その他方の筐体に備えられている表示装置が前記一方の筐体に隠れて使用できなくなる。反対に、前記一方の筐体の裏側から前記他方の筐体をスライドさせて引き出した場合には、当該他方の筐体の表示装置が使用可能となる。この場合には、一方の筐体の表示装置に表示されている内容に関連する情報を他方の筐体の表示装置に表示することができる。例えば、テレビ電話の通話相手の画像を一方の筐体の表示装置に表示して、他方の筐体には内蔵カメラにて撮影している画像を表示することができる。また、そのように表示しているときに、スライドして他方の筐体の表示装置を使用不可とした場合、一方の筐体の表示装置に二つの画像を合成して表示（２画面表示）することができる。
さらに、特許文献３（特開２００７−３１２４０５号公報）には、次のような技術が開示されている。特許文献３の技術は、折り畳み式の携帯端末に関するものである。その携帯端末は、折り畳まれたときに内側になる第１表示装置と外側になる第２表示装置とを備えている。当該携帯端末では、折り畳まれているときに電子メールを受信すると、第２表示装置に受信した電子メールの受信日時とタイトルを表示し、携帯端末を開くと第１表示装置に当該受信メールの詳細内容を表示する。
【先行技術文献】
【特許文献】
【０００３】
【特許文献１】特開２００７−１４２７６２号公報
【特許文献２】再公表特許ＷＯ２００３／０７７０９７号
【特許文献３】特開２００７−３１２４０５号公報
【発明の概要】
【発明が解決しようとする課題】
【０００４】
ところで、ワンセグ対応の携帯端末を利用したテレビ放送番組の視聴中に電子メールを受信した場合に、テレビ放送番組の視聴を続けながら、その電子メールの内容を確認したい場合がある。前述した特許文献１の技術では、テレビ放送番組を視聴しながら、電子メールの内容を読むことができる。
しかしながら、特許文献１では、表示領域に対する映像の方向に応じて全画面表示と分割表示とを切り替えるので、表示領域に対する映像の方向を保持したまま携帯端末を変形しても、画面表示を切り替えることができない。
換言すれば、特許文献１では、全画面表示でテレビ放送番組の映像を表示している状態から、テレビ放送番組の映像と共に電子メールの内容を表示すべく分割表示の状態に切り替えると、映像の向きが変化する。このため、そのままでは、映像や、電子メールの文字が横向きになって、映像や文字が見づらいという問題が生じる。
また、前述したように、テレビ放送番組等の映像の視聴中に操作部の操作を可能にして、映像を見ながら電子メールを作成する等の作業を行いたいという要望がある。
本発明は上記事情に鑑みてなされたものである。その目的は、表示部の映像の視聴中に、表示部の向きはそのままで、前記映像の視聴を続けながら、所望の画像を見ることを可能にすべく、表示部の表示内容が自動的に切り替わる表示装置および携帯端末および表示制御方法およびプログラム記録媒体を提供することにある。
【課題を解決するための手段】
【０００５】
本発明の表示装置は、
映像と、所定の第１画像と、所定の第２画像とのうちの少なくとも一つを表示する表示手段と、
前記表示手段に対する態様が、所定の第１態様と所定の第２態様との間で変化する操作手段と、
前記第２画像および前記映像が前記表示手段に表示されているときに、前記表示手段に対する前記操作手段の態様が、前記第２態様から前記第１態様に変化したことを検知した場合には、前記第２画像に替えて前記第１画像を前記映像と共に前記表示手段に表示させる表示制御手段と、
を備えている。
本発明の携帯端末は、上記のような表示装置を備えている。
本発明の表示制御方法は、
表示手段に、所定の第２画像を映像と共に表示し、
この表示状態であるときに、前記表示手段に対する態様を変化できる操作手段が、前記表示手段に対する所定の第２態様から所定の第１態様に変化したことを検知した場合には、前記第２画像に替えて所定の第１画像を前記表示手段に前記映像と共に表示する。
本発明のプログラム記録媒体は、
映像と、所定の第１画像と、所定の第２画像とのうちの少なくとも一つを表示する表示手段と、前記表示手段に対する態様が、所定の第１態様と所定の第２態様との間で変化する操作手段とを備えた表示装置に、
前記第２画像が前記映像と共に前記表示手段に表示されている状態であるときに、前記表示手段に対する前記操作手段の態様が、前記第２態様から前記第１態様に変化したことを検知した場合には、前記第２画像に替えて前記第１画像を前記表示手段に前記映像と共に表示させる機能を持たせるためのプログラムが記録されている。
【発明の効果】
【０００６】
本発明によれば、表示手段の映像の視聴中に、表示手段の向きはそのままで、前記映像の視聴を続けながら、所望の画像を見ることを可能にすべく、表示手段の表示内容を自動的に切り替えることができる。
【図面の簡単な説明】
【０００７】
図１は、第１実施形態における携帯端末の構成図である。
図２Ａは、第１実施形態の携帯端末が採り得る態様の一つを説明するための図である。
図２Ｂは、第１実施形態の携帯端末が採り得る別の態様の一つを説明するための図である。
図２Ｃは、第１実施形態の携帯端末が採り得るさらに別の態様の一つを説明するための図である。
図３Ａは、第１実施形態において、表示部に対する操作部の態様が第２態様である場合の表示部の表示例を表した図である。
図３Ｂは、第１実施形態において、表示部に対する操作部の態様が第１態様である場合の表示部の表示例を表した図である。
図４Ａは、第１実施形態において、表示部に対する操作部の態様が第２態様である場合の表示部の別の表示例を表した図である。
図４Ｂは、第１実施形態において、表示部に対する操作部の態様が第１態様である場合の表示部の別の表示例を表した図である。
図５は、第１実施形態における携帯端末の表示制御動作例を説明するためのフローチャートである。
図６は、第２実施形態の表示装置の構成を説明するためのブロック図である。
図７は、第２実施形態の表示装置の表示制御手順を説明するための図である。
図８は、第２実施形態の表示装置を備えた携帯端末の構成を表したブロック図である。
【符号の説明】
【０００８】
１    携帯端末
１０  第１筐体
２０  第２筐体
１１  操作入力部
１１ａ  正面キー
１２  表示部
１３  検出部
１４  データ処理部
１４１  機能部
１４２  電子メール処理部
１４３  スケジュール管理部
１４４  無線通信処理部
１４５  表示制御部
１４６  放送信号処理部
１４７  再生部
１５  記憶部
１６  チューナ部
１６１  放送受信アンテナ
１７  無線通信部
１７１  無線通信アンテナ
３０，４０  表示領域
３１ａ，３１ｂ，４１ａ，４１ｂ  映像
３２，４２  通知画像
３３，４３  機能実行画面
３４，４４  無表示領域
【発明を実施するための形態】
【０００９】
以下、本発明の実施の形態について、図面を用いて説明する。尚、すべての図面において、同様な構成要素には同じ符号を付し、適宜説明を省略する。
（第１実施形態）
図１は、第１実施形態の表示装置を備えた携帯端末の構成図である。第１実施形態の携帯端末１は、次に述べる第１表示態様と、第２表示態様とを自動的に切り替え得る携帯端末である。その第１表示態様とは、操作入力部（操作手段）１１に対して予め定めた第１の方向と、表示部１２の短手方向とが一致する場合（第１態様）における表示部（表示手段）１２の表示態様である。第２表示態様とは、操作入力部１１に対して前記第１の方向とは異なる予め定めた第２の方向と、表示部１２の短手方向とが一致する場合（第２態様）における表示部１２の表示態様である。このような表示態様の自動切り替えを可能にすべく、第１実施形態の携帯端末１は、表示制御部（表示制御手段）１４５と、機能部１４１と、検出部（検出手段）１３とを備えている。
機能部１４１は、指定されたタイミングで動作すると共に表示制御部１４５に所定の予備情報（報知情報）を通知する機能を備えている。検出部１３は、表示部１２に対する操作入力部１１の態様が前記第１態様と前記第２態様とのうちの一方から他方へと変化したことを検知する機能を備えている。表示制御部１４５は、映像の垂直表示方向と表示部１２の短手方向とが一致するように映像を表示部１２に表示させる機能を備えている。さらに、表示制御部１４５は、映像とともに予備情報（報知情報）に基づく通知画像（第２画像）を表示部１２に表示させる機能を備えている。さらにまた、表示制御部１４５は、通知画像の表示中に、操作入力部１１が第２態様から第１態様に変化したことを検出部１３が検知した場合には、前記予備情報に対応する機能実行画面（第１画像）を表示部１２に表示させる機能を備えている。
第１実施形態の携帯端末１の構成の全部または一部は、ハードウェアで実現されてもよいし、あるいは、プロセッサに処理を実行させるプログラム（またはプログラムコード）で実現されてもよい。プロセッサは、不揮発性メモリなどの記録媒体からそのプログラムを読み出して実行する。
携帯端末１に含まれる機能がプログラムで実現される場合、当該プログラムは、前記第１表示態様と、前記第２表示態様とを自動的に切り替えるための次のような処理を、携帯端末１のプロセッサに実行させるプログラムである。その処理は、映像の垂直表示方向と表示部１２の短手方向とが一致するように映像を表示部１２に表示させる映像表示処理を含む。また、前記処理は、携帯端末１が有する機能を指定されたタイミングで動作させるとともに予備情報を通知させる予備情報通知処理をも含む。さらに、前記処理は、映像とともに予備情報に基づく通知画像を表示部１２に表示させる通知画像表示処理をも含む。さらにまた、前記処理は、通知画像表示処理の後に、操作入力部１１が第２態様から第１態様に変化したことを検出したときに、予備情報に対応する機能実行画面を表示部１２に映像と共に表示させる実行画面表示処理を含む。
前記プログラムは、不揮発性メモリなどの記録媒体（プログラム記録媒体）に記録されている。
なお、前述した第１の方向および第２の方向は、ユーザによって定められてもよい。また、第１の方向および第２の方向はそれぞれ一方向とは限らない。詳細については後述する。
また、表示制御部１４５が映像と共に機能実行画面を表示部１２に表示させた後に、操作入力部１１が第１態様から第２態様に変化したことを検出部１３が検知したとき、表示制御部１４５は機能実行画面の表示を止めてもよい。この場合には、機能実行画面の表示を止めた後、表示制御部１４５は表示部１２に映像のみを表示させる。
この第１実施形態では、携帯端末１は、さらに、放送局から配信されるテレビ放送信号を受信するチューナ部（チューナ手段）１６と、チューナ部１６が受信したテレビ放送信号から少なくとも映像データを生成する放送信号処理部１４６とを備える。表示制御部１４５は、さらに、その映像データに基づいた映像を表示部１２に表示させる機能を備える。これによって、携帯端末１はテレビ放送番組の映像を表示部１２に表示することができる。チューナ部１６は、テレビ放送信号を受信する放送受信アンテナ１６１を含んでいる。
さらに、携帯端末１は、少なくとも映像データを格納する記憶部１５と、記憶部１５から映像データを取得して再生する再生部１４７とをも備えている。表示制御部１４５は、さらに、再生部１４７が再生する映像データに基づく映像を表示部１２に表示させる機能をも備えている。これによって、携帯端末１はテレビ映像のみならず、ウェブからダウンロードした映像データ等に基づく映像を表示することもできる。
さらに、この第１実施形態の携帯端末１は、無線通信可能な無線通信部１７と、無線通信部１７を介して送受信される無線信号を処理する無線通信処理部１４４とを備えている。機能部１４１は、電子メールに関する処理を行う電子メール処理部１４２を含む。当該電子メール処理部１４２は、無線通信部１７を介して受信した電子メールデータの一部を予備情報（報知情報）として表示制御部１４５に通知する機能を備えている。表示制御部１４５は、表示部１２に映像を表示しているときに、その予備情報を受け取った場合、その予備情報に基づき受信メールに関する通知画像を表示部１２に映像と共に表示する機能をさらに備えている。無線通信部１７は、無線信号を送受信する無線通信アンテナ１７１を含んでいる。
機能部１４１は、さらに、操作入力部１１が受け付けた操作入力に基づいてスケジュールデータを生成するスケジュール管理部１４３を含んでいる。そのスケジュール管理部１４３は、操作入力に基づいて設定された時間に、スケジュールデータの一部を予備情報として表示制御部１４５に知する機能を備えている。表示制御部１４５は、表示部１２に映像を表示しているときにスケジュール管理部１４３から予備情報を受け取った場合、その予備情報に基づきスケジュールデータの通知画像を表示部１２に映像と共に表示する機能をさらに備えている。
上述した電子メール処理部１４２およびスケジュール管理部１４３を含む機能部１４１、無線通信処理部１４４、表示制御部１４５、放送信号処理部１４６ならびに再生部１４７はそれぞれデータ処理部１４に含まれている。データ処理部１４はＣＰＵなどのプロセッサであってもよく、当該プロセッサは不揮発性メモリなどの記録媒体からそのプログラムを読み出して実行する。
図２Ａ、図２Ｂ、図２Ｃは、第１実施形態の携帯端末１の外形図である。この携帯端末１は、図２Ａに示すように、少なくとも操作入力部１１を含む第１筐体１０と、少なくとも表示部１２を含む第２筐体２０とが連結部（連結手段）によって縦長に連結されるＩ字型の態様を採り得る。
また、携帯端末１は、前述したように、テレビ放送番組の映像を表示部１２に表示することもできる。テレビ放送が標準テレビジョン放送（ＳＤＴＶ（Ｓｔａｎｄａｒｄ−Ｄｅｆｉｎｉｔｉｏｎ−Ｔｅｌｅｖｉｓｉｏｎ））であれば、その映像のアスペクト比は４：３と規定されている。また、テレビ放送が高精細度テレビジョン放送（ＨＤＴＶ（Ｈｉｇｈ−Ｄｅｆｉｎｉｔｉｏｎ−Ｔｅｌｅｖｉｓｉｏｎ））であれば、その映像のアスペクト比は１６：９と規定されている。このようにテレビ放送番組の映像は横長であり、長方形状の表示部１２の短手方向と、表示部１２に表示させる映像の垂直表示方向とを同方向にして表示させた方が表示部１２の表示領域を有効に使用することができる。
携帯端末１が図２Ａに示す態様であるときに、映像の垂直表示方向と表示部１２の短手方向とが一致するように映像を表示部１２に表示させると、ユーザは、携帯端末１を横に倒した方が映像が見やすくて都合がよい。そうすると操作入力部１１が有するキーのうち筐体の正面に配置される正面キー１１ａも横倒しとなるので、ユーザとしては操作入力部１１が操作しづらくなる。このため、操作入力部１１が有するキーのうちテレビ機能に関するキーは、筐体の側面に配置する側面キー（図示せず）に割り当てることが多い。
また、携帯端末１は、図２Ｂに示すように、表示部１２を前面に出して、第２筐体２０の裏側に第１筐体１０を収める態様を採り得る。携帯端末１がその態様である場合には、ユーザは正面キー１１ａを用いて操作入力することができない。このため、上記のようにテレビ機能に関するキーを、側面キー（図示せず）に割り当てておけば都合がよい。
また、携帯端末１は、図２Ｃに示すように、第１筐体１０と第２筐体２０とがＴ字型をなす態様を採り得る。この態様にすることによって、図２Ａに示す携帯端末１の態様に比べて、表示部１２に表示される映像を視ながら正面キー１１ａを操作することが容易となる。
この第１実施形態では、表示制御部１４５は、映像の垂直表示方向と表示部１２の短手方向とが一致するように映像を表示部１２に表示させる。また、図２Ａ〜図２Ｃに示すＹ軸方向を第１の方向、Ｘ軸方向を第２の方向と定める。これにより、図２Ｃに示される態様は前記第１態様（操作入力部１１の所定の第１の方向と、表示部１２の短手方向が一致する態様）に含まれる。また、図２Ａと図２Ｂに示される態様は前記第２態様（操作入力部１１の所定の第２の方向と、表示部１２の短手方向が一致する態様）に含まれる。上記のように、この第１実施形態では、第１の方向と第２の方向とがなす角度は９０度である。
換言すれば、この第１実施形態では、図２Ａ〜図２Ｃに示されるように、操作入力部（操作部）１１の仮想基準線Ｌは、Ｙ方向に伸びる直線とする。この場合、操作入力部１１の第１態様（図２Ｃ参照）とは、操作入力部１１の前記仮想基準線Ｌの伸長方向と、長方形状の表示部１２の短手方向とが一致するように、表示部１２に対して操作入力部１１が配置されている態様である。操作入力部１１の第２態様（図２Ａ、図２Ｂ参照）とは、操作入力部１１の前記仮想基準線Ｌの伸長方向と、長方形状の表示部１２の短手方向とが直交するように、表示部１２に対して操作入力部１１が配置されている態様である。この第１実施形態では、表示部１２の姿勢が同じである場合において、第１態様のときの操作入力部１１の仮想基準線Ｌと、第２態様のときの操作入力部１１の仮想基準線Ｌとの成す角度は９０度となっている。
なお、第１態様は、第１筐体１０と第２筐体２０が図２Ｃに示すＴ字型をなす態様の他にも、第１筐体１０と第２筐体２０がＬ字型をなす態様や、第１筐体１０と第２筐体２０が逆Ｌ字型をなす態様を含めてもよい。
さらに、前述したように、操作入力部１１の第１の方向および第２の方向はそれぞれ一方向とは限らない。例えば、第１の方向として、図２Ｃに示すＹ軸方向を基準として左右１５度傾いた範囲までを含めて定めてもよい。この場合、図２Ｃに示す第２筐体２０が第１筐体１０に対して連結部を中心に左回転もしくは右回転して、表示部１２の短手方向がＹ軸方向に対して左右どちらかに傾いても、連結部の回転角度が１５度までであれば、第１態様とする。
さらに、第１の方向として、図２Ｃに示すＹ軸方向を基準として携帯端末１が開閉する方向に３０度傾いた範囲までを含めて定めてもよい。この場合、図２Ｃに示す第２筐体２０が第１筐体１０に対して連結部を中心に開方向もしくは閉方向に回転して、表示部１２の短手方向がＹ軸方向に対して開方向もしくは閉方向いずれかに傾いても、連結部の回転角度が３０度までであれば、第１態様とする。
検出部１３は、操作入力部１１が上記のような第１態様から第２態様に変化したことを検知するものである。当該検出部１３の形態は、携帯端末１の構成に応じて様々である。例えば、検出部１３は、第１筐体１０と第２筐体２０を連結している連結部１８（図１参照）の動作に基づいて、第１態様と第２態様のうちの一方から他方へと変化したことを検知する。具体例を挙げると、連結部１８がヒンジであるときには、検出部１３は、そのヒンジの回転動作に基づいて第１態様および第２態様のいずれか一方から他方へと変化したことを検知する構成とする。
より具体的には、例えば、検出部１３は、ヒンジに設けられ当該ヒンジの所定の回転角度位置でスイッチがオンオフする回転検出スイッチを含むものである。
図３Ａ、図３Ｂは、電子メールを受信したときの表示部１２の表示例を表す図である。図３Ａは、表示制御部１４５が電子メールを受信したことを示す通知画像３２を表示部１２に映像３１ａとともに表示させた場合の表示例である。この図３Ａでは、表示部１２の表示領域３０に表示される通知画像３２は、テロップ画像である。当該通知画像３２は、電子メールを受信したことを示す情報（アプリ情報）に基づくものである。この通知画像（テロップ画像）３２に含まれる内容としては、例えば、電子メールの差出入や件名が含まれる。なお、図３Ａでは、通知画像３２はテロップ画像としたが、電子メールを受信したことを示す情報（アプリ情報）に基づくアイコン画像であってもよい。
図３Ｂは、表示部１２に対する操作入力部１１の態様が第２態様から第１態様に変化したことを検出部１３が検知したときに、表示制御部１４５が映像３１ｂとともにアプリ情報に対応するアプリケーション機能の実行画面３３を表示部１２に表示させた場合の表示例である。図３Ｂでは、表示制御部１４５が、表示部１２の表示領域３０を分割し、複数の表示領域（区分領域）の一つに映像３１ｂを表示し、別の表示領域（区分領域）に機能実行画面３３を表示している。このように表示部１２に機能実行画面３３が表示されている場合には、ユーザは機能実行画面３３上で通常にメーラーを起動したときと同様の操作を行うことができる。たとえば、機能実行画面３３をスクロールして受信メールを閲覧してもよく、機能実行画面３３上で受信メールに対して返信メールを作成してもよい。なお、表示領域３０内には何も表示しない無表示領域３４が存在してもよい。
図４Ａ、図４Ｂは、本実施形態においてスケジュールデータに基づく通知を行うときの表示部の表示例を表す図である。図４Ａは、表示制御部１４５が表示部１２に、スケジュールデータに基づく通知画像４２を映像４１ａとともに表示させたときの表示画面である。図４Ａでは、表示部１２の表示領域４０に表示される通知画像４２は、スケジュールデータ（アプリ情報）に基づくテロップ画像である。この通知画像（テロップ画像）４２に含まれる内容としては、例えば、スケジュールの設定時間や件名が含まれる。なお、図４Ａにおいて通知画像４２はテロップ画像としたが、スケジュールデータ（アプリ情報）に基づくアイコン画像であってもよい。
図４Ｂは、検出部１３が第２態様から第１態様に変化したことを検知したとき、表示制御部１４５がアプリ情報に対応するアプリケーション機能の実行画面４３を表示部１２に映像４１ｂとともに表示させたときの表示画面である。図４Ｂでは、表示制御部１４５が、表示部１２の表示領域４０を分割し、複数の表示領域（区分領域）の一つに映像４１ｂを表示し、別の表示領域（区分領域）に機能実行画面４３を表示している。このように表示部１２に機能実行画面４３が表示されている場合には、ユーザは機能実行画面４３上で通常にスケジュールデータを生成するときと同様の操作を行うこともできる。たとえば、ユーザは、機能実行画面４３をスクロールして設定済みのスケジュールを閲覧することができる。また、ユーザは、機能実行画面４３上で新たにスケジュールを設定することもできる。なお、表示領域４０内には何も表示しない無表示領域４４が存在してもよい。
図５は第１実施形態の携帯端末１の表示制御動作の一例を説明するためのフローチャートである。携帯端末１の表示制御動作は、映像の垂直表示方向と表示部１２の短手方向とが一致するように映像を表示部１２に表示させる映像表示ステップ（ステップＳ１０２）を含む。さらに、携帯端末１の表示制御動作は、携帯端末１が有する機能を、指定されたタイミングで動作させるとともに予備情報を通知させる予備情報通知ステップ（ステップＳ１０４）を含む。さらに、携帯端末１の表示制御動作は、映像とともに予備情報に基づく通知画像を表示部１２に表示させる通知画像表示ステップ（ステップＳ１０５）を含む。さらに、携帯端末１の表示制御動作は、通知画像表示ステップ（ステップＳ１０５）の後に、携帯端末１が第２態様から第１態様に変化したことを検知する第１検知ステップ（ステップＳ１０６）を含む。さらに、携帯端末１の表示制御動作は、その第１検知ステップにて携帯端末１が第２態様から第１態様に変化したことを検知したとき（ステップＳ１０６のＹＥＳ）、映像とともに予備情報に対応する機能の実行画面を表示部１２に表示させる実行画面表示ステップ（ステップＳ１０７）を含んでいる。
なお、第１検知ステップにて第２態様から第１態様に変化したことを検知しないとき（ステップＳ１０６のＮＯ）、通知画像表示ステップ（ステップＳ１０５）を繰り返して、通知画像の表示を継続する。
さらに、携帯端末１の表示制御動作は、前記実行画面表示ステップ（ステップＳ１０７）の後に、携帯端末１が第１態様から第２態様に変化したことを検知する第２検知ステップ（ステップＳ１０８）を含んでいる。さらに、携帯端末１の表示制御動作は、第２検知ステップにて携帯端末１が第１態様から第２態様に変化したことを検知したとき（ステップＳ１０８のＹＥＳ）、機能実行画面の表示を止め、その後に、映像表示ステップ（ステップＳ１０２）に移行するステップを含んでいる。その映像表示ステップ（ステップＳ１０２）への移行により、表示部１２には、映像のみが表示される。
なお、第２検知ステップ（ステップＳ１０８）において、第２態様から第１態様に変化したことを検出しないとき（ＮＯのとき）には、実行画面表示ステップ（ステップＳ１０７）を繰り返し、機能実行画面の表示を継続する。
さらに、携帯端末１の表示制御動作は、図５に示されるように、放送局から配信されるテレビ放送信号を受信して、受信したテレビ放送信号から少なくとも映像データを生成する放送受信ステップ（ステップＳ１０１）を含んでいてもよい。この場合には、映像表示ステップ（ステップＳ１０２）にて、その映像データに基づいた映像（テレビ放送の映像）を表示部１２に表示させる。
さらに、たとえばユーザがテレビ機能のオンオフキーを押下したとき、または携帯端末１が電源断になったときに、携帯端末１は、映像表示を終了するべきとき（ステップＳ１０３のＹＥＳ）と判断して、映像の表示を終了する。
ここで、第１実施形態の携帯端末１の効果について述べる。表示制御部１４５は、映像の垂直表示方向と表示部１２の短手方向とが一致するように映像を表示部１２に表示させる。このために、表示部１２に対して映像の方向が保持される。また、この第１実施形態では、映像とともに予備情報に基づく通知画像を表示部１２に表示させたのちに、表示部１２に対する操作入力部１１の態様が第２態様から第１態様に変化したとき、携帯端末が有する機能（電子メール通信機能またはスケジュール管理機能）の機能実行画面を表示部１２に映像とともに表示させる。このため、ユーザは映像を見ながら前記機能に関する操作入力を支障なく行うことができる。さらに、映像とともに機能実行画面を表示させたのちに、携帯端末１が第１態様から第２態様に変化すると、機能実行画面の表示を止める。このため、ユーザにとって操作入力しづらい（できない）態様において、ユーザは映像を視ることに専念することができる。
（第２実施形態）
以下に、第２実施形態を説明する。
図６に示されるように、第２実施形態の表示装置５０は、表示手段５１と、操作手段５２と、表示制御手段５３とを備えている。表示手段５１は、映像を表示する機能を備えている。操作手段５２は、表示手段５１に対する態様の変化が可能なものである。表示制御手段５３は、表示手段５１の表示制御を行うものである。当該表示制御手段５３は、所定の第２画像を表示手段５１に映像と共に表示させる機能を備えている。さらに、表示制御手段５３は、表示手段５１にそのような表示をさせているときに、表示手段５１に対する操作手段５２の態様が、所定の第２態様から所定の第１態様に変化したことを検知したとする。表示制御手段５３は、その場合に、前記第２画像に替えて所定の第１画像を表示手段５１に前記映像と共に表示させる機能をさらに備えている。
上記したような表示手段５１や操作手段５２や表示制御手段５３の各機能は、例えば、プログラムに基づいたプロセッサの動作により実現することができる。そのプログラムは、例えば不揮発性メモリ等のプログラム記録媒体５５に記録されている。
この第２実施形態の表示装置５０では、例えば、表示制御手段５３が、表示手段５１に、所定の第２画像を映像と共に表示したとする（図７のステップＳ１）。
この表示状態であるときに、表示手段５１に対する操作手段５２の態様が、所定の第２態様から所定の第１態様に変化したことを検知したとする（図７のステップＳ２）。この場合には、表示制御手段５３は、前記第２画像に替えて所定の第１画像を表示手段５１に前記映像と共に表示する（図７のステップＳ３）。
この第２実施形態では、次のような効果を得ることができる。すなわち、表示装置の一つとして、表示手段５１の映像の視聴中に操作手段５２を利用する場合と利用しない場合とのどちらにも対応できるように、表示手段５１に対する操作手段５２の態様を変化できるものがある。このような表示装置において、例えば、表示手段５１の映像の視聴中に操作手段５２を操作すると想定される場合に対応する操作手段５２の態様を、第１態様とする。これに対し、表示手段５１の映像の視聴中に操作手段５２を操作しないと想定される場合に対応する操作手段５２の態様を、第２態様とする。このような表示装置に、この第２実施形態における表示制御手法を適用すると、次のような表示の自動切り替えが可能となる。すなわち、例えば、操作手段５２の態様を第２態様にして表示手段５１の映像を見ているときに、第２画像が表示されたとする。この第２画像を見て、操作手段５２を操作すべく当該操作手段５２の態様を第２態様から第１態様に変化させると、表示手段５１の表示が自動的に次のように切り替わる。すなわち、表示手段５１には、映像と共に、第１画像が表示される。その第１画像が、操作手段５２の操作を利用する機能の実行画面であるとすると、映像を視聴しながら、その機能実行画面を利用して所望の機能を実行させることが可能である。
つまり、この第２実施形態では、表示手段５１の映像を視聴しながら、操作手段５２の態様を変化させるだけで、ユーザの要望に応じた表示内容に自動的に切り替えることができると言える。
この第２実施形態の表示装置５０は、図８に示されるような携帯端末６０を構成することができる。つまり、携帯端末６０は、表示装置５０を含んでいる。換言すれば、携帯端末６０は、前記同様の表示手段５１と操作手段５２と表示制御手段５３を備えている。このため、この携帯端末６０も、表示装置５０と同様の効果を奏することができる。
（その他の実施形態）
なお、この発明は、第１や第２の実施形態に限定されるものではなく、様々な実施の態様を採り得るものである。例えば、第１実施形態で述べた連結部がスライドレールである場合、検出部１３は第１筐体１０と第２筐体２０の相対移動距離に基づいて第１態様と第２態様のうちの一方から他方に変化したことを検知してもよい。
また、操作入力部（操作手段）は画面上に表示されるアイコン画像をタッチする等によって操作入力可能なタッチパネル方式であってもよい。この場合には、操作入力部（操作手段）に表示する操作のためのアイコン画像の表示の向きを変化させることが容易にできる。この場合には、その操作入力部（操作手段）のアイコン画像の表示の向きの変化によって、表示手段（表示部）に対する操作手段の態様を変化させることができる。つまり、操作入力部（操作手段）を動かすことなく、表示手段の映像を見ながらの操作手段の操作を想定した第１態様と、表示手段の映像の視聴中の操作手段の操作を想定していない第２態様とを変化させることができる。このような場合には、第１実施形態で述べた検出部１３は、操作入力部１１におけるアイコン画像の表示の向きの制御情報に基づいて、第１態様と第２態様のうちの一方から他方へ変化したことを検知してもよい。
操作手段が上記のような構成であっても、本発明を適用することによって、前述した第１や第２の実施形態と同様の効果を奏することができる。
さらに、テロップ画像等の通知画像を表示する位置は図３Ａまたは図４Ａに示した位置に限定されない。さらに、映像を表示する表示領域と機能実行画面を表示する表示領域との面積比や形状は図３Ｂまたは図４Ｂの例に限定されない。例えば、映像の一部を除いた表示部１２の表示領域に機能実行画面を表示してもよい。さらに、機能実行画面や通知画像を表示する場合に、映像のアスペクト比を変えて当該映像を表示部１２に表示してもよい。
さらに、第１実施形態では、表示部１２に機能実行画面３３，４３が表示されているときに、操作入力部１１の態様が第１態様から第２態様に変化すると、機能実行画面３３，４３の表示を止め、その後は、表示部１２に映像のみを表示していた。これに代えて、機能実行画面３３，４３の表示を止めた後には、表示部１２に映像と共に通知画像を表示するようにしてもよい。つまり、図５におけるステップＳ１０８において、第１形態から第２形態に変化したことを検知した場合には、ステップＳ１０５以降の動作を繰り返してもよい。
さらに、表示制御部１４５は、通知画像の表示を開始してから所定の時間が経過したことを検知したときに、通知画像の表示を止める機能を備えていてもよい。
さらに、本発明に係る携帯端末は次のような実施の形態をも採り得る。例えば、携帯端末は、操作入力部に対して定められる第１の方向と、表示部の短手方向とが一致する第１表示態様を採り得る。さらに、当該携帯端末は、前記第１の方向とは異なる第２の方向と、前記表示部の短手方向とが一致する第２表示態様を採り得る。さらに、当該携帯端末は、それら第１表示形態と第２表示形態を切替え得る。この携帯端末は、表示制御部と、機能部と、検出部とを備えている。前記表示制御部は、映像の垂直表示方向と前記表示部の短手方向とが一致するように前記映像を前記表示部に表示させる機能を備えている。前記機能部は、指定されたタイミングで動作するとともに前記表示制御部に予備情報を通知する機能を備えている。前記検出部は、携帯端末が前記第１表示態様および前記第２表示態様のいずれか一方から他方へと変化したことを検出する機能を備えている。この実施形態の携帯端末では、前記表示制御部が前記映像とともに前記予備情報に基づく通知画像を前記表示部に表示させる。その後に、前記携帯端末が前記第２表示態様から前記第１表示態様に変化したことを前記検出部が検出したとき、前記表示制御部は前記映像とともに前記予備情報に対応する機能の実行画面を前記表示部に表示させる。
上記のような携帯端末では、表示制御動作として例えば次のような動作を行う。すなわち、上記携帯端末の表示制御動作は、映像の垂直表示方向と前記表示部の短手方向とが一致するように前記映像を前記表示部に表示させる映像表示ステップを含む。さらに、当該携帯端末の表示制御動作は、前記携帯端末が有する機能を指定されたタイミングで動作させるとともに予備情報を通知させる予備情報通知ステップを含む。さらに、当該携帯端末の表示制御動作は、前記映像とともに前記予備情報に基づく通知画像を前記表示部に表示させる通知画像表示ステップを含む。さらに、当該携帯端末の表示制御動作は、前記通知画像表示ステップののちに、前記携帯端末が前記第２表示態様から前記第１表示態様に変化したことを検出する第１検出ステップを含む。さらにまた、当該携帯端末の表示制御動作は、前記第１検出ステップにて前記携帯端末が前記第２表示態様から前記第１表示態様に変化したことを検出したとき、前記映像とともに前記予備情報に対応する機能の実行画面を前記表示部に表示させる実行画面表示ステップを含む。
さらに、上記のような携帯端末における表示制御を実行させるためのプログラムは、プロセッサに実行させるプログラムであって、次のような処理を実装させるものである。その処理の一つは、映像の垂直表示方向と前記表示部の短手方向とが一致するように前記映像を前記表示部に表示させる映像表示処理である。別の処理の一つは、前記携帯端末が有する機能を指定されたタイミングで動作させるとともに予備情報を通知させる予備情報通知処理である。さらに別の処理の一つは、前記映像とともに前記予備情報に基づく通知画像を前記表示部に表示させる通知画像表示処理である。さらに別の処理の一つは、前記通知画像表示処理ののちに、前記携帯端末が前記第２表示態様から前記第１表示態様に変化したことを検出する第１検出処理である。さらに別の処理の一つは、前記第１検出処理にて前記携帯端末が前記第２表示態様から前記第１表示態様に変化したことを検出したとき、前記映像とともに前記予備情報に対応する機能の実行画面を前記表示部に表示させる実行画面表示処理である。
上記のような携帯端末によれば、表示部に対して映像の方向を保持しながら携帯端末の表示態様を変化させたとき、映像と共に携帯端末が有する機能の実行画面を表示部に表示させる携帯端末、携帯端末の表示制御方法およびプログラムが提供される。
以上、実施形態を参照して本願発明を説明したが、本願発明は上記実施形態に限定されるものではない。本願発明の構成や詳細には、本願発明のスコープ内で当業者が理解し得る様々な変更をすることができる。
なお、この出願は、２００８年１０月１５日に出願された日本出願特願２００８−２６６４１３を基礎とする優先権を主張し、その開示の全てをここに取り込む。
【産業上の利用可能性】
【００１０】
本発明は、表示手段に対して操作手段の態様が変化可能な表示装置、および、そのような表示装置を含む携帯端末等の装置に有効である。
【図１】
2010044336.tif 000003
【図２Ａ】
2010044336.tif 000004
【図２Ｂ】
2010044336.tif 000005
【図２Ｃ】
2010044336.tif 000006
【図３Ａ】
2010044336.tif 000007
【図３Ｂ】
2010044336.tif 000008
【図４Ａ】
2010044336.tif 000009
【図４Ｂ】
2010044336.tif 000010
【図５】
2010044336.tif 000011
【図６】
2010044336.tif 000012
【図７】
2010044336.tif 000013
【図８】
2010044336.tif 000014
【国際調査報告】
2010044336.tif 000015
2010044336.tif 000016
2010044336.tif 000017